(57)【特許請求の範囲】
【請求項１】
容器の頚部等に装着するネジ付の不透明な内キャップと、これに被せて嵌着する透明の外キャップとを組み合わせた二重キャップにおいて、
内キャップの外壁面下部に、折り返しにより、外キャップとほぼ同じ外径を持つ不透明な受容部が形成され、この不透明な受容部に透明な外キャップの下部が挿入され、内キャップと外キャップの抜けを防止するために、上記不透明な受容部で隠された領域内にて、外キャップ下部と内キャップの受容部の間に、両者を係合させて抜け防止用係合手段が設けられ、内キャップと外キャップの間の回動を防止するために、上記不透明な受容部で隠された領域内にて、受容部に、挿入孔または凹所が形成されるとともに、該外キャップの下部に形成した脚部が挿入孔または凹所に挿入されて回動防止用係合手段が設けられたことを特徴とする二重キャップ。
【発明の詳細な説明】
【０００１】
【発明の属する技術分野】
本発明は、容器の頚部等に装着するキャップ、特に外キャップが透明な二重キャップに関するものである。
【０００２】
【従来の技術】
従来、液状化粧品等の容器においては、主として、そのキャップの外観体裁を良くするため、容器の頚部等に装着するネジ付の内キャップに対し、これに透明の外キャップを被せて嵌着し、これにより外キャップが透明な二重キャップ構造とすることが行われている。この具体的構造としては、例えば不透明な内キャップに透明の外キャップを被せ、両者を、抜け防止用アンダーカットや回動防止用アンダーカット等の係合手段にて係合させて、離脱不能かつ回動不能に組み付けたものとなっている。
【０００３】
【発明が解決しようとする課題】
しかしながら、外キャップを透明として装飾効果を発揮させようとしている関係上、従来の構造では、透明な外キャップを内キャップに被せた場合、透明な外キャップを通して、外部から抜け防止用アンダーカットや回動防止用アンダーカット等の係合手段の部分が見えてしまい、満足できる装飾効果を得ることができないという問題があった。
そこで、本発明の目的は、上記課題を解決し、外キャップが透明な二重キャップにおいて、抜け防止用アンダーカットや回動防止用アンダーカット等の係合手段が露出しないように隠蔽した構造の二重キャップを得ることにある。
【０００４】
【課題を解決するための手段】
上記目的を達成するため、本発明は、容器の頚部等に装着するネジ付の不透明な内キャップと、これに被せて嵌着する透明の外キャップとを組み合わせた二重キャップにおいて、内キャップの外壁面下部に、折り返しにより、外キャップとほぼ同じ外径を持つ不透明な受容部が形成され、この不透明な受容部に透明な外キャップの下部が挿入され、内キャップと外キャップの抜けを防止するために、上記不透明な受容部で隠された領域内にて、外キャップ下部と内キャップの受容部の間に、両者を係合させて抜け防止用係合手段が設けられ、内キャップと外キャップの間の回動を防止するために、上記不透明な受容部で隠された領域内にて、受容部に、挿入孔または凹所が形成されるとともに、該外キャップの下部に形成した脚部が挿入孔または凹所に挿入されて回動防止用係合手段が設けられた構成のものである。
【０００５】
ここで、抜けを防止する係合手段は、例えば外キャップ下部の外壁面と内キャップの受容部内壁の間、または、外キャップ下部の内壁面と内キャップの外壁面の間において、アンダーカット構造にて設けることができる。また、回動を防止する係合手段は、例えば外キャップ下部の脚部を内キャップの受容部内の挿入孔内に入れる構造にて設けることができる。本発明によれば、このような挿入孔や脚部、あるいはアンダーカット構造等の係合手段の部分が、すべて不透明な受容部で被い隠されるため、外キャップを透明として本来の二重キャップの美しい装飾効果を十分に発揮させることができ、外観体裁の良い二重キャップを得ることができる。
【０００６】
【発明の実施の形態】
以下、本発明を図示の実施形態に基づいて説明する。図１〜図４に本発明の第一の実施形態を示す。図１は外キャップ２０が透明な二重キャップの断面図、図２は内キャップ１０の底面図、図３はその分解斜視図、図４はその係合手段の部分の拡大斜視図である。この二重キャップは、高級化粧液を収納した容器の頚部（図示せず）に装着するネジ付の不透明な内キャップ１０と、これに更に被せて抜け及び回動不能に嵌着する透明の外キャップ２０とを組み合わせた二重構造を有する。
【０００７】
内キャップ１０は不透明な合成樹脂から成り、図示してない容器の頚部に装着するネジ部１１を内壁に有すると共に、外壁面下部には、図３及び図４（ｂ）に示すように、外キャップ２０の周面とほぼ同じ外径を持つ折り返し壁１２ａにより、不透明な受容部１２が形成されている。また、この受容部１２内には、次に述べる外キャップ２０の挿入部２１に付設された脚部２２を挿入するための挿入孔１３が、複数箇所（ここでは４箇所）に形成されている（図２参照）。
【０００８】
一方、外キャップ２０は透明な合成樹脂から成る。この外キャップ２０の下部には、図４（ａ）に示すように、半径方向外側から内側に段差を持って所定の肉厚分だけ薄く形成した薄肉部が、上記の不透明な受容部１２内に挿入される挿入部２１として形成されている。更に、この挿入部２１の一部は、外キャップ２０下部の薄肉部を下方に延在させた複数本（ここでは４本）の脚部２２として形成されている（図３参照）。上記不透明な受容部１２内に、外キャップ２０の挿入部２１が収納され、その下端に垂下する脚部２２が挿入孔１３内に挿入される。この外キャップ２０の下部の挿入部２１、正確には脚部２２の外壁面と内キャップ１０の受容部１２の内壁とには、両者を係合させて抜け及び回動を防止する係合手段が設けられる。
【０００９】
この実施形態では、抜け防止用係合手段として、外キャップ２０の挿入部２１における脚部２２の外壁面に突設してアンダーカット２３が設けられると共に、内キャップ１０の受容部１２における折り返し壁１２ａの内壁に突設してアンダーカット１４が設けられる。そして、アンダーカット２３がアンダーカット１４を乗り越えてアンダーカット１４下部に位置して係合することにより、内キャップ１０と外キャップ２０の抜けが防止される。また回動防止用係合手段として、内キャップ１０の受容部１２に挿入孔１３が設けられると共に、外キャップ２０の挿入部２１に脚部２２が設けられ、挿入孔１３に脚部２２を挿入して係合することにより、内キャップ１０と外キャップ２０の間の回動が防止される。
【００１０】
かかる構造とすることにより、挿入孔１３、アンダーカット１４、挿入部２１、脚部２２、アンダーカット２３等の係合手段の部分は、すべて不透明な受容部１２、正確には折り返し壁１２ａで被い隠される。従って、外キャップ２０を透明として装飾効果を発揮させつつも、外部から抜け防止用アンダーカットや回動防止用アンダーカット等の係合手段が露出しないように隠蔽した構造の外観体裁の良い二重キャップを得ることができる。
【００１１】
図５〜図８に本発明の第二の実施形態を示す。これは外キャップ２０下部の挿入部２１の内壁面と内キャップ１０の外壁面との間に、両者を係合させて抜けを防止する係合手段を設けた例である。すなわち、ここでは、抜け防止用係合手段として、外キャップ２０の挿入部２１における脚部２２の内壁面に凹設してアンダーカット２３が設けられると共に、内キャップ１０の受容部１２内における内キャップ１０の外壁に突設してアンダーカット１４が設けられる。そして、アンダーカット２３がアンダーカット１４を乗り越えてアンダーカット１４下部に位置して係合することにより、内キャップ１０と外キャップ２０の抜けが防止される。
【００１２】
なお、この実施形態においても、回動防止用係合手段として、内キャップ１０の受容部１２に挿入孔１３が設けられると共に、外キャップ２０の挿入部２１に脚部２２が設けられ、挿入孔１３に脚部２２を挿入して係合することにより、内キャップ１０と外キャップ２０の間の回動が防止される。
【００１３】
図９〜図１２に本発明の第三の実施形態を示す。これは内キャップ１０の受容部１２の底に挿入孔１３の代わりに凹所１５を設けた例である。すなわち、ここでは、回動防止用係合手段として、内キャップ１０の受容部１２の底に凹所１５が設けられると共に、外キャップ２０の挿入部２１に短い脚部２２が設けられ、凹所１５に脚部２２を挿入して係合することにより、内キャップ１０と外キャップ２０の間の回動が防止されている。
【００１４】
なお、この実施形態においても、抜け防止用係合手段として、外キャップ２０の挿入部２１における脚部２２の外壁面に凹設してアンダーカット２３が設けられると共に、内キャップ１０の受容部１２における折り返し壁１２ａの内壁に突設してアンダーカット１４が設けられる。そして、アンダーカット２３がアンダーカット１４を乗り越えてアンダーカット１４下部に位置して係合することにより、内キャップ１０と外キャップ２０の抜けが防止される。
【００１５】
【発明の効果】
以上説明したように、本発明にかかる二重キャップは、内キャップの外壁面下部に、折り返しにより、外キャップとほぼ同じ外径を持つ不透明な受容部が形成され、この不透明な受容部に透明な外キャップの下部が挿入され、内キャップと外キャップの抜けを防止するために、上記不透明な受容部で隠された領域内にて、外キャップ下部と内キャップの受容部の間に、両者を係合させて抜け防止用係合手段が設けられ、内キャップと外キャップの間の回動を防止するために、上記不透明な受容部で隠された領域内にて、受容部に、挿入孔または凹所が形成されるとともに、該外キャップの下部に形成した脚部が挿入孔または凹所に挿入されて回動防止用係合手段が設けられた構成としたものである。従って、本発明によれば、外キャップと内キャップの係合手段、例えば係合用の挿入孔と脚部や、抜け防止用アンダーカット等の部分が、すべて不透明な受容部で被い隠される。よって、外キャップを透明とした装飾効果を十分に発揮させつつも、外部から抜け防止用アンダーカット等の係合手段が露出しないように隠蔽して、外観体裁の良い二重キャップを得ることができる。
【図面の簡単な説明】
【図１】本発明の第一実施形態に係る外キャップが透明な二重キャップの断面図である。
【図２】図１の二重キャップにおける内キャップを底面側から見た図である。
【図３】図１の二重キャップを一部断面にて示した分解斜視図である。
【図４】図１の二重キャップにおける係合手段の部分を拡大して示したもので、（ａ）は外キャップの係合手段の部分拡大斜視図、（ｂ）は内キャップの係合手段の部分拡大斜視図である。
【図５】本発明の第二実施形態に係る外キャップが透明な二重キャップの断面図である。
【図６】図５の二重キャップにおける内キャップを底面側から見た図である。
【図７】図５の二重キャップを一部断面にて示した分解斜視図である。
【図８】図５の二重キャップにおける係合手段の部分を拡大して示したもので、（ａ）は外キャップの係合手段の部分拡大斜視図、（ｂ）は内キャップの係合手段の部分拡大斜視図である。
【図９】本発明の第三実施形態に係る外キャップが透明な二重キャップの断面図である。
【図１０】図９の二重キャップにおける内キャップを底面側から見た図である。
【図１１】図９の二重キャップを一部断面にて示した分解斜視図である。
【図１２】図９の二重キャップにおける係合手段の部分を拡大して示したもので、（ａ）は外キャップの係合手段の部分拡大斜視図、（ｂ）は内キャップの係合手段の部分拡大斜視図である。
【符号の説明】
１０  内キャップ
１１  ネジ部
１２  受容部
１２ａ  折り返し壁
１３  挿入孔
１４  アンダーカット
１５  凹所
２０  外キャップ
２１  挿入部
２２  脚部
２３  アンダーカット
【図１】
0004033664.tif 000002
【図２】
0004033664.tif 000003
【図３】
0004033664.tif 000004
【図４】
0004033664.tif 000005
【図５】
0004033664.tif 000006
【図６】
0004033664.tif 000007
【図７】
0004033664.tif 000008
【図８】
0004033664.tif 000009
【図９】
0004033664.tif 000010
【図１０】
0004033664.tif 000011
【図１１】
0004033664.tif 000012
【図１２】
0004033664.tif 000013